(57)【要約】【課題】巡回路を構成する無端チェーンまたは／およびプレートの裏面へ均一かつ効率的に注油を行う。【解決手段】巡回路１６が設けられてなる回転飲食台において、巡回路１６を構成する無端チェーン１８へは、充填された潤滑油を噴出するよう付勢させて配した潤滑油スプレー缶２２の噴出口と連結され、無端チェーン１８に向けて潤滑油を噴出すべく配したチェーン用注油ノズル２６から、プレート２０裏面へは、潤滑油スプレー缶２２の噴出口と連結され、プレート２０裏面へ塗布すべく配したフェルト材２８に潤滑油を供給する供給ノズル３０により、フェルト材２８に潤滑油を供給し、フェルト材２８から、それぞれ潤滑油を注油することを特徴とする。【選択図】            図１
2007099465.tif 000002
【特許請求の範囲】
【請求項１】
基台(12)の上方に商品を巡回搬送させる巡回路(16)が設けられてなる回転飲食台において、
巡回路(16)を構成する無端チェーン(18)に、
充填された潤滑油を噴出するように付勢させて基台(12)に配した潤滑油スプレー缶(22)の噴出口と連結され、かつ無端チェーン(18)に向けて潤滑油を噴出すべく基台(12)に配したチェーン用注油ノズル(26)から、潤滑油を、注油することを特徴とする回転飲食台における注油方法。
【請求項２】
基台(12)の上方に商品を巡回搬送させる巡回路(16)が設けられてなる回転飲食台において、
巡回路(16)を構成する無端チェーン(18)に多数軸支されたプレート(20)の裏面に、
充填された潤滑油を噴出するように付勢させて基台(12)に配した潤滑油スプレー缶(22)の噴出口と連結され、かつプレート(20)裏面に潤滑油を塗布すべく基台(12)に配したフェルト材(28)に潤滑油を供給する供給ノズル(30)により、フェルト材(28)に潤滑油を供給し、フェルト材(28)から潤滑油を、注油することを特徴とする回転飲食台における注油方法。
【請求項３】
基台(12)の上方に商品を巡回搬送させる巡回路(16)が設けられてなる回転飲食台において、
巡回路(16)を構成する無端チェーン(18)に、
充填された潤滑油を噴出するように付勢させて基台(12)に配した潤滑油スプレー缶(22)の噴出口と連結され、かつ無端チェーン(18)に向けて潤滑油を噴出すべく基台(12)に配したチェーン用注油ノズル(26)から、潤滑油を、注油し、
巡回路(16)を構成する無端チェーン(18)に多数軸支されたプレート(20)の裏面に、
潤滑油スプレー缶(22)の噴出口と連結され、かつプレート(20)裏面に潤滑油を塗布すべく基台(12)に配したフェルト材(28)に潤滑油を供給する供給ノズル(30)により、フェルト材(28)に潤滑油を供給し、フェルト材(28)から潤滑油を、注油することを特徴とする回転飲食台における注油方法。
【請求項４】
潤滑油スプレー缶(22)の噴出口とチェーン用注油ノズル(26)または／および供給ノズル(30)との連結路に潤滑油の流量調整手段(34)を配したことを特徴とする請求項１、請求項２または請求項３記載の回転飲食台における注油方法。
【請求項５】
基台(12)の上方に商品を巡回搬送させる巡回路(16)が設けられてなる回転飲食台において、
潤滑油が充填された潤滑油スプレー缶(22)を、潤滑油を噴出するように付勢させて基台(12)に着脱自在に配し、
巡回路(16)を構成する無端チェ−ン(18)に向けて潤滑油を噴出させるようにチェーン用注油ノズル(26)を、基台(12)に配し、
チェーン用注油ノズル(26)と、潤滑油スプレー缶(22)の噴出口とを連結管(32)にて連結させたことを特徴とする回転飲食台における注油装置。
【請求項６】
基台(12)の上方に商品を巡回搬送させる巡回路(16)が設けられてなる回転飲食台において、
潤滑油が充填された潤滑油スプレー缶(22)を、潤滑油を噴出するように付勢させて基台(12)に着脱自在に配し、
巡回路(16)を構成する無端チェーン(18)に多数軸支されたプレート(20)の裏面に、潤滑油を塗布すべくフェルト材(28)を基台(12)上面に配し、
このフェルト材(28)に潤滑油を供給すべく供給ノズル(30)を、基台(12)に配し、
供給ノズル(30)と、潤滑油スプレー缶(22)の噴出口とを連結管(32)にて連結させたことを特徴とする回転飲食台における注油装置。
【請求項７】
基台(12)の上方に商品を巡回搬送させる巡回路(16)が設けられてなる回転飲食台において、
潤滑油が充填された潤滑油スプレー缶(22)を、潤滑油を噴出するように付勢させて基台(12)に着脱自在に配し、
巡回路(16)を構成する無端チェ−ン(18)に向けて潤滑油を噴出させるようにチェーン用注油ノズル(26)を、基台(12)に配し、
巡回路(16)を構成する無端チェーン(18)に多数軸支されたプレート(20)の裏面に、潤滑油を塗布すべくフェルト材(28)を基台(12)上面に配し、
このフェルト材(28)に潤滑油を供給すべく供給ノズル(30)を、基台(12)に配し、
チェーン用注油ノズル(26)および供給ノズル(30)と、潤滑油スプレー缶(22)の噴出口とを連結管(32)にてそれぞれ連結させたことを特徴とする回転飲食台における注油装置。
【請求項８】
潤滑油スプレー缶(22)の噴出口とチェーン用注油ノズル(26)または／および供給ノズル(30)との連結路に潤滑油の流量調整手段(34)を配したことを特徴とする請求項５、請求項６または請求項７記載の回転飲食台における注油装置。
【発明の詳細な説明】
【技術分野】
【０００１】
本発明は、商品を巡回搬送させる巡回路が設けられてなる回転飲食台において、巡回路を構成する無端チェーンまたは／およびプレート裏面への注油を、人手を要することなく、均一かつ効率的に行うことができる回転飲食台における注油方法およびその装置に関するものである。
【背景技術】
【０００２】
従来、飲食店、例えば回転飲食台を設置した飲食店において、商品である寿司は、商品皿上に盛付けて巡回路上を巡回搬送させている。
【０００３】
また、巡回路を構成する無端チェーンおよびプレートの裏面への注油は、巡回路に搬送不良が生じたその都度、あるいは定期的に人手により注油することが知られている。
【０００４】
この種の搬送路のメンテナンスにおいて、搬送路を構成する搬送体の裏面を清掃する装置として、搬送体裏面に当接させて清掃布、ブラシ等の清掃具を配し、清掃具により搬送体裏面を清掃していた（例えば特許文献１参照）。
【０００５】
【特許文献１】特開２００４−２９２１００号公報（第３−７頁、図２、３、５−１０）
【発明の開示】
【発明が解決しようとする課題】
【０００６】
従来は前記の通り、特許文献１は、搬送体裏面の付着物を剥離させることを目的とするものであり、潤滑油を注油することが不可能であり、加えて搬送路を構成する無端チェーンおよび搬送体の裏面への注油についても全く開示されていない。
【０００７】
このため、搬送路を構成する無端チェーンおよび搬送体の裏面への注油が不可能であり、人手により定期的に注油を行う必要があるばかりか、注油が継続的に行われない場合には、搬送路が磨耗、損傷し、磨耗が激しい場合には搬送路が使用不能となり、このため新たな部品との交換を強いられていた。
【０００８】
また、人手により注油を行うため、注油量を一定とすること、搬送路の全域に均一に注油すること、が極めて困難であり、注油量が不足する場合には搬送路の搬送に支障を来すばかりか、搬送不能となる恐れがあり、注油量が過剰な場合には、回転飲食台の基台内に付着し、この付着した潤滑油にさらに商品屑、ほこり等が付着し、極めて不衛生であった。
【０００９】
本発明は、巡回路を構成する無端チェーンまたは／および無端チェーンに多数軸支されたプレートの裏面への注油を、人手を要することなく、均一かつ効率的に行うことができる回転飲食台における注油方法およびその装置を提供することを目的とするものである。
【課題を解決するための手段】
【００１０】
本発明は、基台の上方に商品を巡回搬送させる巡回路が設けられてなる回転飲食台において、巡回路を構成する無端チェーンに、充填された潤滑油を噴出するように付勢させて基台に配した潤滑油スプレー缶の噴出口と連結され、かつ無端チェーンに向けて潤滑油を噴出すべく基台に配したチェーン用注油ノズルから、潤滑油を、注油することを特徴とするもの、
または、巡回路を構成する無端チェーンに多数軸支されたプレートの裏面に、充填された潤滑油を噴出するように付勢させて基台に配した潤滑油スプレー缶の噴出口と連結され、かつプレート裏面に潤滑油を塗布すべく基台に配したフェルト材に潤滑油を供給する供給ノズルにより、フェルト材に潤滑油を供給し、フェルト材から潤滑油を、注油することを特徴とするもの、
または、巡回路を構成する無端チェーンへチェーン用注油ノズルから、巡回路を構成するプレートの裏面へフェルト材から、それぞれ注油することを特徴とするもの、
または、潤滑油スプレー缶の噴出口とチェーン用注油ノズルまたは／および供給ノズルとの連結路に潤滑油の流量調整手段を配したことを特徴とするものである。
【発明の効果】
【００１１】
本発明に係る回転飲食台における注油方法およびその装置によれば、巡回路を構成する無端チェーンに、充填された潤滑油を噴出するように付勢させて基台に配した潤滑油スプレー缶の噴出口と連結され、かつ無端チェーンに向けて潤滑油を噴出すべく基台に配したチェーン用注油ノズルから、潤滑油を、注油するため、人手を要することなく、無端チェーン全域に均一に注油することができ、巡回路を常時最適な状態で使用することが可能となる。
【００１２】
また、巡回路を構成する無端チェーンに多数軸支されたプレートの裏面に、充填された潤滑油を噴出するように付勢させて基台に配した潤滑油スプレー缶の噴出口と連結され、かつプレート裏面に潤滑油を塗布すべく基台に配したフェルト材に潤滑油を供給する供給ノズルにより、フェルト材に潤滑油を供給し、フェルト材から潤滑油を、注油することにより、人手を要することなく、各プレート裏面に均一に注油することができる。
【００１３】
また、巡回路を構成する無端チェーンへはチェーン用注油ノズルから、巡回路を構成するプレート裏面へはフェルト材から、それぞれ潤滑油を注油することにより、無端チェーンおよびプレート裏面へ、同時に、かつ均一に注油することができる。
【００１４】
また、潤滑油スプレー缶の噴出口とチェーン用注油ノズルまたは／および供給ノズルとの連結路に潤滑油の流量調整手段を配することにより、状況に応じた注油を行うべく潤滑油量を調整することができ、過少注油、過剰注油を防止すると共に、常時最適な状態で注油を行うことができる。
【発明を実施するための最良の形態】
【００１５】
搬送路構成部材へ潤滑油を、人手を要することなく均一かつ効率的に注油する目的を、充填された潤滑油を噴出するように付勢させて配した潤滑油スプレー缶の噴出口と、無端チェーンに向けて潤滑油を噴出すべく配したチェーン用注油ノズルと、を連結することにより、
または、プレート裏面に潤滑油を塗布すべく配したフェルト材と、フェルト材に潤滑油を供給する供給ノズルと、潤滑油スプレー缶の噴出口と、を連結し、
無端チェーンへはチェーン用注油ノズルから、プレート裏面へはフェルト材から、それぞれ注油することにより、実現させた。
【実施例１】
【００１６】
本発明に係る回転飲食台における注油装置は、図１〜図６に示すように、以下の構成からなるものである。
【００１７】
本例において、回転飲食台は、平面視略コ字型、その他の形状の基台１２の上方に、商品、本発明においては寿司を盛付けた商品皿１４を巡回搬送させる巡回路１６が設けられてなるものである。
【００１８】
巡回路１６は、無端チェーン１８上にクレセント型のプレート２０を多数軸支させてなる搬送路、一般にクレセントコンベアあるいはクレセントチェーンと称されるものである。
【００１９】
基台１２側部に、充填された潤滑油を噴出するように付勢させて潤滑油スプレー缶２２が配してある。
【００２０】
本例において、潤滑油はシリコーンオイル、その他の滑走剤であればよく、付勢手段２４はスプリングである。
【００２１】
巡回路１６を構成する無端チェーン１８に、潤滑油スプレー缶２２の噴出口と連結され、かつ無端チェーン１８に向けて潤滑油を噴出するためのチェーン用注油ノズル２６を、基台１２に配してある。
【００２２】
巡回路１６を構成する無端チェーン１８に多数軸支されたプレート２０の裏面に、潤滑油スプレー缶２２の噴出口と連結され、かつプレート２０裏面に潤滑油を塗布すべく基台１２上面両側に配したフェルト材２８に潤滑油を供給するための供給ノズル３０を、基台１２に配してある。
【００２３】
本例において、フェルト材２８は保湿性に優れた素材が望ましい。
【００２４】
潤滑油スプレー缶２２の吹出口と、チェーン用注油ノズル２６、供給ノズル３０と、を連結管３２にて連結させてある。
【００２５】
この連結管３２および各ノズル２６，３０は、内部に潤滑油が付着しない素材、例えばウレタン等の発泡樹脂素材にて成形することが望ましい。
【００２６】
各ノズル２６，３０と潤滑油スプレー缶２２の噴出口とを連結する連結管３２の適所に、潤滑油の流量を調整するための流量調整手段３４を配してある。
【００２７】
本例において、流量調整手段３４は流量調整可能な開閉バルブである。
【００２８】
なお、図中３６は基台１２側部に配した、潤滑油スプレー缶２２を固定するための固定枠を示す。
【００２９】
本装置により、巡回路１６を構成する無端チェーン１８および無端チェーン１８に多数軸支されたプレート２０の裏面へ、潤滑油を注油する方法を以下に詳述する。
【００３０】
まず、潤滑油スプレー缶２２を、充填された潤滑油を噴出するように付勢手段２４を配した固定枠３６に、取付ける（図６参照）。
【００３１】
この際、潤滑油スプレー缶２２は付勢手段２４により、噴出口部が押圧され、充填された潤滑油が常時噴出する状態となる。
【００３２】
その後、潤滑油スプレー缶２２の噴出口と、チェーン用注油ノズル２６および供給ノズル３０とを連結した連結管３２に配した流量調整手段３４により、状況に応じて各ノズル２６，３０から噴出される潤滑油の量を調整する。
【００３３】
このため、チェーン用注油ノズ２６からは適量の潤滑油が、巡回路１６を構成する無端チェーン１８に、注油され、供給ノズル３０からは適量の潤滑油が、巡回路１６を構成するプレート２０の裏面に塗布すべくフェルト材２８に供給され、このフェルト材２８からプレート２０裏面に、注油される。
【００３４】
このように、潤滑油スプレー缶２２のセット後、流量調整手段３４により流量を調整することにより、巡回路１６を構成する無端チェーン１８およびプレート２０の裏面に、均一に、しかも同時に注油されるため、人手による注油作業を皆無とし、ひいては巡回路１６を常時最適な状態で使用することが可能となる。
【００３５】
なお、本例は、巡回路１６を構成する無端チェーン１８およびプレート２０の裏面に同時に注油するものであるが、フェルト材２８、供給ノズル３０を省略して無端チェーン１８のみに注油すること、あるいはチェーン用注油ノズル２６を省略し、プレート２０の裏面のみに注油することは自明である。
【００３６】
また、無端チェーン１８へ注油するチェーン用注油ノズル２６と、プレート２０の裏面に注油するためのフェルト材２８、供給ノズル３０と、をそれぞれ別個所に配し、それぞれ別の潤滑油スプレー缶２２を使用して注油することは自明である。
【００３７】
また、予め潤滑油スプレー缶２２に充填された潤滑油の噴出量を、付勢手段２４の付勢力を調整することにより、流量調整手段３４を省略できることは自明である。
【００３８】
また、潤滑油スプレー缶２２の基台１２装着位置は、側部に限定されることはなく、基台１２内外部の巡回路１６に近い位置であれば、他の個所でもよい。
【００３９】
また、潤滑油はシリコーンオイル等であるが、他の潤滑剤とすることは自由である。
【００４０】
また、無端チェーン１８へ注油する潤滑油を吸湿する吸湿材を、注油位置後方に配し、余剰潤滑油を吸湿することにより、巡回路１６のみならず基台１２内を衛生的にすることは自明である。
【００４１】
また、フェルト材２８を基台１２上部に着脱自在とし、交換容易とすることは自明である。
【００４２】
また、フェルト材２８はフェルト（布）に限定されることはなく、他の吸湿性素材を採用することは自明である。
【００４３】
また、１日に１時間程度の注油、あるいは１時間間隔で間欠注油した後、潤滑油スプレー缶２２を取外すことにより、潤滑油の使用量を節減できることは自明である。
【００４４】
また、巡回路１６はクレセントチェーンに限定されることはなく、無端チェーン、無端ベルト、その他の搬送機構を採用できることは自明である。
【００４５】
また、巡回路１６の平面形状が、端部で折返し搬送されるＩ型、Ｌ型、Ｅ型、等の場合には、チェーン用注油ノズル２６、フェルト材２８、供給ノズル３０、連結管３２を複数設置すること、さらには潤滑油スプレー缶２２を含めて各構成部材を増設して使用すること、は自明である。
【００４６】
また、商品は寿司に限定されることはなく、例えばデザート類、サラダ、焼き物類、揚げ物類とすることは自由であり、その際には商品皿には商品を収納、盛付けた容器を載せて提供することは自明である。
【００４７】
また、本発明の方法および装置は本例に限定されることはない。
【産業上の利用可能性】
【００４８】
本発明に係る回転飲食台における注油方法および装置は、回転飲食台に限定されることはなく、薬品等を生産する工場の各生産ラインの搬送路への注油装置、方法としても転用することができる。
【図面の簡単な説明】
【００４９】
【図１】本発明に係る回転飲食台における注油装置を示す要部拡大断面図。
【図２】同、要部拡大平面図。
【図３】同、無端チェーンおよびプレート裏面への注油部分を示す要部拡大平面図。
【図４】本発明に係る回転飲食台における注油装置の拡大側面図。
【図５】同、潤滑油スプレー缶の連結路を示す概略図。
【図６】潤滑油スプレー缶を取付ける状態を示す要部正面図。
【符号の説明】
【００５０】
１２  基台
１６  巡回路
１８  無端チェーン
２０  プレート
２２  潤滑油スプレー缶
２４  付勢手段
２６  チェーン用注油ノズル
２８  フェルト材
３０  供給ノズル
３２  連結管
３４  流量調整手段
【図１】
2007099465.tif 000003
【図２】
2007099465.tif 000004
【図３】
2007099465.tif 000005
【図４】
2007099465.tif 000006
【図５】
2007099465.tif 000007
【図６】
2007099465.tif 000008